(57)【特許請求の範囲】
【請求項１】
異なるサイズの宅配包装箱用の粘着テープシーラーであって、本体を含み、前記本体の内部の左側には下方と左方に開口した左伸縮空間が設置され、前記左伸縮空間には左伸縮板が左右スライド可能に設置され、前記本体の内部の右側には下方と右方に開口した右伸縮空間が設置され、前記右伸縮空間の中には右伸縮板が左右スライド可能に設置され、前記左伸縮板と前記右伸縮板の内部と下側には粘着テープを平らにするためのプレスロール装置が設置され、前記プレスロール装置の中には前記左伸縮板と前記右伸縮板の中に設置されかつ下方に開口した傾斜スライド空間が設置され、前記傾斜スライド空間の中には斜面スライダが左右スライド可能に設置され、前記斜面スライダの上端面が前記傾斜スライド空間の上壁の斜面と当接しており、前記斜面スライダは斜面に沿って互いに離れるようにスライドでき、前記斜面スライダの下側にはプレスロールが設置され、粘着テープを前記プレスロールの下側に引き、前記斜面スライダが互いに離れることで、前記プレスロールが連動して互いに離れ、粘着テープが中間から両側へ平にプレスされることができ、前記右伸縮板の右端には前記本体の右側に位置した固定ブロックが固定的に設置され、前記固定ブロックと前記右伸縮板の中には切断装置が一つ設置され、前記切断装置の中には前記固定ブロックの中に位置しかつ下方と右方に開口した切断空間が設置され、前記切断空間の内部の左側には切断刀が設置され、前記切断刀の上端が右方に翻転することで粘着テープが刺し破られ切断され、前記本体の中の上側には手動制御装置が設置され、前記手動制御装置の中には回転盤が設置され、前記回転盤が前記切断刀に伝動可能に連結され、前記回転盤を回転させることで前記切断刀を翻転させることができることを特徴とする異なるサイズの宅配包装箱用の粘着テープシーラー。
【請求項２】
前記左伸縮空間と前記右伸縮空間の上壁には位置制限空間が連通するように設置され、前記位置制限空間の中にはそれぞれ前記左伸縮板と前記右伸縮板の上端に固定的に連結された位置制限ブロックが左右スライド可能に設置され、前記位置制限ブロックにおいて左右両側にある前記位置制限空間の間の中心位置側から離れた端面と前記位置制限空間の内壁との間には復帰ばねが固定的に連結されていることを特徴とする請求項１に記載の異なるサイズの宅配包装箱用の粘着テープシーラー。
【請求項３】
前記プレスロール装置は、前記傾斜スライド空間の左右壁の間に固定的に設置されかつ前記斜面スライダの中にスライド可能に連結されたガイドスライド棒を含み、前記ガイドスライド棒と前記傾斜スライド空間の上壁とが同じ傾斜角度を維持し、前記ガイドスライド棒と前記傾斜スライド空間の上壁と前記斜面スライダの上端面との傾斜状態はいずれも、左右両側の前記傾斜スライド空間の間の中心位置に近接した側が低く、左右両側の前記傾斜スライド空間の間の中心位置から離れた側が高く、前記斜面スライダの中の前後両側には圧縮空間が対称に設置され、前記圧縮空間の中には圧縮板が上下スライド可能に設置され、前記圧縮板の下端面において対称中心から離れた端には固定板が固定的に設置され、前記固定板の下端が前記斜面スライダの下側に延びており、前後両側の前記固定板の下端の間には回転軸が回転可能に設置され、前記プレスロールが前記回転軸の外円周面に固定的に設置されていることを特徴とする請求項１に記載の異なるサイズの宅配包装箱用の粘着テープシーラー。
【請求項４】
前記斜面スライダにおいて左右両側の前記傾斜スライド空間の間の中心位置から離れた端面と前記傾斜スライド空間の内壁との間には耐圧ばねが固定的に連結され、前記斜面スライダが対称中心から離れる側へ移動する時に、前記耐圧ばねが押圧され、前記耐圧ばねは前記斜面スライダが左右両側の前記傾斜スライド空間の間において中心位置に近接するように移動する動力を提供でき、前記圧縮板の上端と前記圧縮空間の上壁との間には下プレスばねが固定的に連結されていることを特徴とする請求項１に記載の異なるサイズの宅配包装箱用の粘着テープシーラー。
【請求項５】
前記切断装置は、前記切断空間の前後壁の間の左下角に回転可能に連結された回転柱を含み、前記切断刀が前記回転柱の外円周面の上端に固定的に設置され、前記回転柱の軸心には翻転軸が固定的に設置され、前記切断空間の後側には前記右伸縮板の内部の右上側まで延びたスプロケット空間が設置され、前記翻転軸の後端が前記スプロケット空間の中まで延びておりかつ従動スプロケットと連結され、前記スプロケット空間の内部の左側において前記右伸縮板の中には主動スプロケットが回転可能に設置され、前記主動スプロケットと前記従動スプロケットとの間には伝動チェーンが巻きつけられ、前記主動スプロケットの軸心には伝動軸が固定的に設置され、前記スプロケット空間の前壁において前記主動スプロケットの前側に対向したところには右側の前記傾斜スライド空間の上側に位置する伝動空間が設置され、前記伝動軸の前端が前記伝動空間の中に延びており、かつ前記伝動軸の前端には従動傘歯車が固定的に設置され、前記伝動空間の左壁の中には前記右伸縮板を貫通したスプライン孔軸が回転可能に設置され、前記スプライン孔軸の右端には前記従動傘歯車に噛み合った主動傘歯車が固定的に設置され、前記スプライン孔軸の中にはスプライン軸がスプラインにより連結され、前記スプライン軸の左端が前記右伸縮空間の左壁に回転可能に連結されていることを特徴とする請求項１に記載の異なるサイズの宅配包装箱用の粘着テープシーラー。
【請求項６】
前記固定ブロックの上端には粘着テープを収納できる収納ケースが固定的に設置され、前記収納ケースの中には収納空間が設置され、前記収納空間の後壁には粘着テープの中空部分を貫通する貫通棒が固定的に設置され、前記収納空間の下壁と前記切断空間の上壁との間には粘着テープ貫口が連通するように設置されていることを特徴とする請求項１に記載の異なるサイズの宅配包装箱用の粘着テープシーラー。
【請求項７】
前記手動制御装置は、前記本体の上端面の中に設置された回転盤空間を含み、前記回転盤空間の下壁の中心には動力軸が回転可能に設置され、前記回転盤は前記回転盤の中に回転可能に設置されかつ前記動力軸の上端に固定的に設置され、前記回転盤の下壁には傘歯車空間が設置され、前記動力軸の下端が前記傘歯車空間の中に延びておりかつ前記動力軸の下端には動力傘歯車が固定的に設置され、前記スプライン軸の左端が前記傘歯車空間の中に延びておりかつ前記スプライン軸の左端には前記動力傘歯車に噛み合った伝動傘歯車が固定的に設置されていることを特徴とする請求項１に記載の異なるサイズの宅配包装箱用の粘着テープシーラー。
【請求項８】
前記回転盤の下端と前記回転盤空間の下壁との間にはねじりばねが固定的に連結され、前記回転盤が回転することで前記ねじりばねが拗じられ、そして前記ねじりばねが前記回転盤の逆転復帰に動力を提供でき、前記回転盤の上端にはハンドルが固定的に設置されていることを特徴とする請求項１に記載の異なるサイズの宅配包装箱用の粘着テープシーラー。
【請求項９】
前記本体の中の前後両側には押圧空間が対称に設置され、前記押圧空間の中にはスライド板が上下スライド可能に設置され、前記スライド板の上端と前記押圧空間の上壁との間には押圧ばねが固定的に連結され、前記押圧ばねは前記スライド板の下降に動力を提供でき、前記スライド板の下端には前記本体の下側に延びた連結板が固定的に設置され、前記連結板の下端には押圧板が固定的に設置され、前記押圧板は前記プレスロールの下端よりやや低いことを特徴とする請求項１に記載の異なるサイズの宅配包装箱用の粘着テープシーラー。
【発明の詳細な説明】
【技術分野】
【０００１】
本願発明はシール技術分野に関し、具体的には異なるサイズの宅配包装箱用の粘着テープシーラーに関する。
【背景技術】
【０００２】
宅配便と物流の発展につれ、配達量が多くなる。一般は段ボールで配達物を包装するが、配達物を宅配包装箱内に置いた後に、粘着テープでシールする必要があり、しかし、段ボールには硬度があるため、外フラップは外方に翻転して開きがち、粘着テープでシールしにくい。更に、シール効果が望ましくなければ、完全にシールするため、また粘着テープを幾度に粘着し、浪費を招く。従来の粘着テープを引き動かす装置は段ボールを平らに押さえられず、人力が必要とされ、操作しにくく、面倒くさい。本願発明は上記問題を解決できる。
【先行技術文献】
【特許文献】
【０００３】
【特許文献１】中国特許出願公開第１０５３４６７７８号明細書
【発明の概要】
【発明が解決しようとする課題】
【０００４】
技術問題：
普通の粘着テープでシールを行う装置は段ボールの外フラップを平らにできず、シール程度が不足する。
【課題を解決するための手段】
【０００５】
異なるサイズの宅配包装箱用の粘着テープシーラーであって、本体を含み、前記本体の内部の左側には下方と左方に開口した左伸縮空間が設置され、前記左伸縮空間には左伸縮板が左右スライド可能に設置され、前記本体の内部の右側には下方と右方に開口した右伸縮空間が設置され、前記右伸縮空間の中には右伸縮板が左右スライド可能に設置され、前記左伸縮板と前記右伸縮板の内部と下側には粘着テープを平らにするためのプレスロール装置が設置され、前記プレスロール装置の中には前記左伸縮板と前記右伸縮板の中に設置されかつ下方に開口した傾斜スライド空間が設置され、前記傾斜スライド空間の中には斜面スライダが左右スライド可能に設置され、前記斜面スライダの上端面が前記傾斜スライド空間の上壁の斜面と当接しており、前記斜面スライダは斜面に沿って互いに離れるようにスライドでき、前記斜面スライダの下側にはプレスロールが設置され、粘着テープを前記プレスロールの下側に引き、前記斜面スライダが互いに離れることで、前記プレスロールが連動して互いに離れ、粘着テープが中間から両側へ平にプレスされることができ、前記右伸縮板の右端には前記本体の右側に位置した固定ブロックが固定的に設置され、前記固定ブロックと前記右伸縮板の中には切断装置が一つ設置され、前記切断装置の中には前記固定ブロックの中に位置しかつ下方と右方に開口した切断空間が設置され、前記切断空間の内部の左側には切断刀が設置され、前記切断刀の上端が右方に翻転することで粘着テープが刺し破られ切断され、前記本体の中の上側には手動制御装置が設置され、前記手動制御装置の中には回転盤が設置され、前記回転盤が前記切断刀に伝動可能に連結され、前記回転盤を回転させることで前記切断刀を翻転させることができる。
【０００６】
有益的に、前記左伸縮空間と前記右伸縮空間の上壁には位置制限空間が連通するように設置され、前記位置制限空間の中にはそれぞれ前記左伸縮板と前記右伸縮板の上端に固定的に連結された位置制限ブロックが左右スライド可能に設置され、前記位置制限ブロックにおいて左右両側にある前記位置制限空間の間の中心位置側から離れた端面と前記位置制限空間の内壁との間には復帰ばねが固定的に連結され、前記位置制限ブロックが互いに離れると、前記復帰ばねが圧縮されて前記位置制限ブロックの復帰に動力を提供する。
【０００７】
有益的には、前記プレスロール装置は、前記傾斜スライド空間の左右壁の間に固定的に設置されかつ前記斜面スライダの中にスライド可能に連結されたガイドスライド棒を含み、前記ガイドスライド棒と前記傾斜スライド空間の上壁とが同じ傾斜角度を維持し、前記ガイドスライド棒と前記傾斜スライド空間の上壁と前記斜面スライダの上端面との傾斜状態はいずれも、左右両側の前記傾斜スライド空間の間の中心位置に近接した側が低く、左右両側の前記傾斜スライド空間の間の中心位置から離れた側が高く、前記斜面スライダの中の前後両側には圧縮空間が対称に設置され、前記圧縮空間の中には圧縮板が上下スライド可能に設置され、前記圧縮板の下端面において対称中心から離れた端には固定板が固定的に設置され、前記固定板の下端が前記斜面スライダの下側に延びており、前後両側の前記固定板の下端の間には回転軸が回転可能に設置され、前記プレスロールが前記回転軸の外円周面に固定的に設置されている。
【０００８】
有益的には、前記斜面スライダにおいて左右両側の前記傾斜スライド空間の間の中心位置から離れた端面と前記傾斜スライド空間の内壁との間には耐圧ばねが固定的に連結され、前記斜面スライダが対称中心から離れる側へ移動する時に、前記耐圧ばねが押圧され、前記耐圧ばねは前記斜面スライダが左右両側の前記傾斜スライド空間の間において中心位置に近接するように移動する動力を提供でき、前記圧縮板の上端と前記圧縮空間の上壁との間には下プレスばねが固定的に連結され、前記圧縮板が上方へ移動して前記下プレスばねを圧縮する時に、前記下プレスばねが前記圧縮板の下方の移動に動力を提供できる。
【０００９】
有益的に、前記切断装置は、前記切断空間の前後壁の間の左下角に回転可能に連結された回転柱を含み、前記切断刀が前記回転柱の外円周面の上端に固定的に設置され、前記回転柱の軸心には翻転軸が固定的に設置され、前記切断空間の後側には前記右伸縮板の内部の右上側まで延びたスプロケット空間が設置され、前記翻転軸の後端が前記スプロケット空間の中まで延びておりかつ従動スプロケットと連結され、前記スプロケット空間の内部の左側において前記右伸縮板の中には主動スプロケットが回転可能に設置され、前記主動スプロケットと前記従動スプロケットとの間には伝動チェーンが巻きつけられ、前記主動スプロケットの軸心には伝動軸が固定的に設置され、前記スプロケット空間の前壁において前記主動スプロケットの前側に対向したところには右側の前記傾斜スライド空間の上側に位置する伝動空間が設置され、前記伝動軸の前端が前記伝動空間の中に延びており、かつ前記伝動軸の前端には従動傘歯車が固定的に設置され、前記伝動空間の左壁の中には前記右伸縮板を貫通したスプライン孔軸が回転可能に設置され、前記スプライン孔軸の右端には前記従動傘歯車に噛み合った主動傘歯車が固定的に設置され、前記スプライン孔軸の中にはスプライン軸がスプラインにより連結され、前記スプライン軸の左端が前記右伸縮空間の左壁に回転可能に連結されている。
【００１０】
前記固定ブロックの上端には粘着テープを収納できる収納ケースが固定的に設置され、前記収納ケースの中には収納空間が設置され、前記収納空間の後壁には粘着テープの中空部分を貫通する貫通棒が固定的に設置され、前記収納空間の下壁と前記切断空間の上壁との間には粘着テープ貫口が連通するように設置され、粘着テープの開始端は前記粘着テープ貫口から前記切断空間の中に入ることができる。
【００１１】
前記手動制御装置は、前記本体の上端面の中に設置された回転盤空間を含み、前記回転盤空間の下壁の中心には動力軸が回転可能に設置され、前記回転盤は前記回転盤の中に回転可能に設置されかつ前記動力軸の上端に固定的に設置され、前記回転盤の下壁には傘歯車空間が設置され、前記動力軸の下端が前記傘歯車空間の中に延びておりかつ前記動力軸の下端には動力傘歯車が固定的に設置され、前記スプライン軸の左端が前記傘歯車空間の中に延びておりかつ前記スプライン軸の左端には前記動力傘歯車に噛み合った伝動傘歯車が固定的に設置されている。
【００１２】
前記回転盤の下端と前記回転盤空間の下壁との間にはねじりばねが固定的に連結され、前記回転盤が回転することで前記ねじりばねが拗じられ、そして前記ねじりばねが前記回転盤の逆転復帰に動力を提供でき、前記回転盤の上端にはハンドルが固定的に設置され、前記ハンドルにより前記本体を取ることや置くことができ、また前記回転盤を旋転連動させることができる。
【００１３】
前記本体の中の前後両側には押圧空間が対称に設置され、前記押圧空間の中にはスライド板が上下スライド可能に設置され、前記スライド板の上端と前記押圧空間の上壁との間には押圧ばねが固定的に連結され、前記押圧ばねは前記スライド板の下降に動力を提供でき、前記スライド板の下端には前記本体の下側に延びた連結板が固定的に設置され、前記連結板の下端には押圧板が固定的に設置され、前記押圧板は前記プレスロールの下端よりやや低い。
【発明の効果】
【００１４】
本願発明の有益効果は：本願発明を宅配包装箱の上側で下方にプレスし、まず宅配包装箱の外フラップを平にしてから、粘着テープで二枚の外フラップの隙間をシールし、それから引き続き本願発明を下方に圧迫することで、プレスロールを宅配包装箱の両側まで互いに離れさせ、粘着テープを宅配包装箱に平に押す。本願発明は優れた伸縮性を有し、プレスロールによる固定範囲が大きく、異なるサイズの宅配包装箱に適用できる上に、収納性がよく、占用空間が小さく、ハンドルを回すことでテープを切断でき、操作が極めて便利で、シール効果が抜群である。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体構成図
【図２】図２は図１におけるＡ―Ａ方向の構成図
【図３】図３は図１におけるＢ―Ｂ方向の構成図
【図４】図４は図２におけるＣの構成拡大図
【発明を実施するための形態】
【００１７】
異なるサイズの宅配包装箱用の粘着テープシーラーであって、主に宅配包装箱の粘着テープでのシールに応用され、下記に明細書図面を合わせて詳しく説明する：
【００１８】
異なるサイズの宅配包装箱用の粘着テープシーラーであって、本体１１を含み、前記本体１１の内部の左側には下方と左方に開口した左伸縮空間１２が設置され、前記左伸縮空間１２には左伸縮板１３が左右スライド可能に設置され、前記本体１１の内部の右側には下方と右方に開口した右伸縮空間１４が設置され、前記右伸縮空間１４の中には右伸縮板１５が左右スライド可能に設置され、前記左伸縮板１３と前記右伸縮板１５の内部と下側には粘着テープを平らにするためのプレスロール装置１０１が設置され、前記プレスロール装置１０１の中には前記左伸縮板１３と前記右伸縮板１５の中に設置されかつ下方に開口した傾斜スライド空間１６が設置され、前記傾斜スライド空間１６の中には斜面スライダ１７が左右スライド可能に設置され、前記斜面スライダ１７の上端面が前記傾斜スライド空間１６の上壁の斜面と当接しており、前記斜面スライダ１７は斜面に沿って互いに離れるようにスライドでき、前記斜面スライダ１７の下側にはプレスロール１８が設置され、粘着テープを前記プレスロール１８の下側に引き、前記斜面スライダ１７が互いに離れることで、前記プレスロール１８が連動して互いに離れ、粘着テープが中間から両側へ平にプレスされることができ、前記右伸縮板１５の右端には前記本体１１の右側に位置した固定ブロック１９が固定的に設置され、前記固定ブロック１９と前記右伸縮板１５の中には切断装置１０２が一つ設置され、前記切断装置１０２の中には前記固定ブロック１９の中に位置しかつ下方と右方に開口した切断空間２０が設置され、前記切断空間２０の内部の左側には切断刀２１が設置され、前記切断刀２１の上端が右方に翻転することで粘着テープが刺し破られ切断され、前記本体１１の中の上側には手動制御装置１０３が設置され、前記手動制御装置１０３の中には回転盤２２が設置され、前記回転盤２２が前記切断刀２１に伝動可能に連結され、前記回転盤２２を回転させることで前記切断刀２１を翻転させることができる。
【００１９】
有益的には、前記左伸縮空間１２と前記右伸縮空間１４の上壁には位置制限空間２３が連通するように設置され、前記位置制限空間２３の中にはそれぞれ前記左伸縮板１３と前記右伸縮板１５の上端に固定的に連結された位置制限ブロック２４が左右スライド可能に設置され、前記位置制限ブロック２４において左右両側にある前記位置制限空間２３の間の中心位置側から離れた端面と前記位置制限空間２３の内壁との間には復帰ばね２５が固定的に連結され、前記位置制限ブロック２４が互いに離れると、前記復帰ばね２５が圧縮されて前記位置制限ブロック２４の復帰に動力を提供する。
【００２０】
有益的には、前記プレスロール装置１０１は、前記傾斜スライド空間１６の左右壁の間に固定的に設置されかつ前記斜面スライダ１７の中にスライド可能に連結されたガイドスライド棒２６を含み、前記ガイドスライド棒２６と前記傾斜スライド空間１６の上壁とが同じ傾斜角度を維持し、前記ガイドスライド棒２６と前記傾斜スライド空間１６の上壁と前記斜面スライダ１７の上端面との傾斜状態はいずれも、左右両側の前記傾斜スライド空間１６の間の中心位置に近接した側が低く、左右両側の前記傾斜スライド空間１６の間の中心位置から離れた側が高く、前記斜面スライダ１７の中の前後両側には圧縮空間２７が対称に設置され、前記圧縮空間２７の中には圧縮板２８が上下スライド可能に設置され、前記圧縮板２８の下端面において対称中心から離れた端には固定板２９が固定的に設置され、前記固定板２９の下端が前記斜面スライダ１７の下側に延びており、前後両側の前記固定板２９の下端の間には回転軸３０が回転可能に設置され、前記プレスロール１８が前記回転軸３０の外円周面に固定的に設置されている。
【００２１】
有益的には、前記斜面スライダ１７において左右両側の前記傾斜スライド空間１６の間の中心位置から離れた端面と前記傾斜スライド空間１６の内壁との間には耐圧ばね３１が固定的に連結され、前記斜面スライダ１７が対称中心から離れる側へ移動する時に、前記耐圧ばね３１が押圧され、前記耐圧ばね３１は前記斜面スライダ１７が左右両側の前記傾斜スライド空間１６の間において中心位置に近接するように移動する動力を提供でき、前記圧縮板２８の上端と前記圧縮空間２７の上壁との間には下プレスばね３２が固定的に連結され、前記圧縮板２８が上方へ移動して前記下プレスばね３２を圧縮する時に、前記下プレスばね３２が前記圧縮板２８の下方の移動に動力を提供できる。
【００２２】
有益的には、前記切断装置１０２は、前記切断空間２０の前後壁の間の左下角に回転可能に連結された回転柱３３を含み、前記切断刀２１が前記回転柱３３の外円周面の上端に固定的に設置され、前記回転柱３３の軸心には翻転軸３４が固定的に設置され、前記切断空間２０の後側には前記右伸縮板１５の内部の右上側まで延びたスプロケット空間３５が設置され、前記翻転軸３４の後端が前記スプロケット空間３５の中まで延びておりかつ従動スプロケット３６と連結され、前記スプロケット空間３５の内部の左側において前記右伸縮板１５の中には主動スプロケット３７が回転可能に設置され、前記主動スプロケット３７と前記従動スプロケット３６との間には伝動チェーン３８が巻きつけられ、前記主動スプロケット３７の軸心には伝動軸３９が固定的に設置され、前記スプロケット空間３５の前壁において前記主動スプロケット３７の前側に対向したところには右側の前記傾斜スライド空間１６の上側に位置する伝動空間４０が設置され、前記伝動軸３９の前端が前記伝動空間４０の中に延びており、かつ前記伝動軸３９の前端には従動傘歯車４１が固定的に設置され、前記伝動空間４０の左壁の中には前記右伸縮板１５を貫通したスプライン孔軸４２が回転可能に設置され、前記スプライン孔軸４２の右端には前記従動傘歯車４１に噛み合った主動傘歯車４３が固定的に設置され、前記スプライン孔軸４２の中にはスプライン軸４４がスプラインにより連結され、前記スプライン軸４４の左端が前記右伸縮空間１４の左壁に回転可能に連結されている。
【００２３】
有益的には、前記固定ブロック１９の上端には粘着テープを収納できる収納ケース４５が固定的に設置され、前記収納ケース４５の中には収納空間４６が設置され、前記収納空間４６の後壁には粘着テープの中空部分を貫通する貫通棒４７が固定的に設置され、前記収納空間４６の下壁と前記切断空間２０の上壁との間には粘着テープ貫口４８が連通するように設置され、粘着テープの開始端は前記粘着テープ貫口４８から前記切断空間２０の中に入ることができる。
【００２４】
有益的には、前記手動制御装置１０３は、前記本体１１の上端面の中に設置された回転盤空間５０を含み、前記回転盤空間５０の下壁の中心には動力軸５１が回転可能に設置され、前記回転盤２２は前記回転盤５０の中に回転可能に設置されかつ前記動力軸５１の上端に固定的に設置され、前記回転盤５０の下壁には傘歯車空間５２が設置され、前記動力軸５１の下端が前記傘歯車空間５２の中に延びておりかつ前記動力軸５１の下端には動力傘歯車５３が固定的に設置され、前記スプライン軸４４の左端が前記傘歯車空間５２の中に延びておりかつ前記スプライン軸４４の左端には前記動力傘歯車５３に噛み合った伝動傘歯車５４が固定的に設置されている。
【００２５】
有益的には、前記回転盤２２の下端と前記回転盤空間５０の下壁との間にはねじりばね５５が固定的に連結され、前記回転盤２２が回転することで前記ねじりばね５５が拗じられ、そして前記ねじりばね５５が前記回転盤２２の逆転復帰に動力を提供でき、前記回転盤２２の上端にはハンドル５６が固定的に設置され、前記ハンドル５６により前記本体１１を取ることや置くことができ、また前記回転盤２２を旋転連動させることができる。
【００２６】
有益的には、前記本体１１の中の前後両側には押圧空間５７が対称に設置され、前記押圧空間５７の中にはスライド板５８が上下スライド可能に設置され、前記スライド板５８の上端と前記押圧空間５７の上壁との間には押圧ばね５９が固定的に連結され、前記押圧ばね５９は前記スライド板５８の下降に動力を提供でき、前記スライド板５８の下端には前記本体１１の下側に延びた連結板６０が固定的に設置され、前記連結板６０の下端には押圧板６１が固定的に設置され、前記押圧板６１は前記プレスロール１８の下端よりやや低い。
【００２７】
下記に図１〜４をあわせて本願発明の使用手順を詳しく説明する：
初期状態のとき、左伸縮板１３が右極限位置にありかつ左伸縮空間１２の中に引っ込んでおり、右伸縮板１５が左極限位置にありかつ右伸縮空間１４の中に引っ込んでおり、復帰ばね２５が緩み状態にあり、斜面スライダ１７が中心に近接した側に位置し、耐圧ばね３１が緩み状態にあり、押圧板６１が下極限位置にあり、押圧ばね５９が緩み状態にあり、プレスロール１８が下極限位置にあり、下プレスばね３２が緩み状態にあり、切断刀２１が鉛直状態にありかつ刃口が上向き、粘着テープを収納空間４６の中において貫通棒４７にカバーし、粘着テープの開始端を伸ばして粘着テープ貫口４８と切断空間２０に通して本体１１の下方まで引く。
シールするとき、片手でハンドル５６を握って本体１１を取り、もう一方の手で切断空間２０の中の粘着テープの開始端をプレスロール１８の下側から本体１１の左側まで引き動かし、開始端をまず宅配包装箱の側方に貼り付け、そして本体１１を宅配包装箱の上側の中心位置で下方に押し、押圧板６１はまず宅配包装箱の外フラップを平にプレスし、そしてプレスロール１８が下側の粘着テープを平にされた外フラップの間の隙間に押してシールし、引き続きハンドル５６で本体１１を下方に押し、このとき連結板６０が押圧空間５７の中に縮んでおりかつ押圧ばね５９を押圧しており、固定板２９が圧縮空間２７の中に縮んでおりかつ下プレスばね３２を押圧しており、このとき斜面スライダ１７が上方への圧力を受け、傾斜スライド空間１６の上壁と斜面スライダ１７の上端面とが傾斜にされているため、斜面スライダ１７が受けた上方への力の一部が中心から離れた側へ分散し、斜面スライダ１７が連動して互いに離れて耐圧ばね３１を圧縮し、耐圧ばね３１の弾力が復帰ばね２５の弾力より大きくなると、左伸縮板１３が左方へ、右伸縮板１５が右方へ移動しかつ復帰ばね２５が圧縮され、したがってプレスロール１８が互いに離れて粘着テープを宅配包装箱に平に押し、プレスロール１８が宅配包装はこの側方に移動したとき、圧縮板２８が下プレスばね３２の弾力により下降し、固定板２９によってプレスロール１８が下降して粘着テープを宅配包装箱の側方に貼り付け、このときハンドル５６を回して回転盤２２を回転連動させ、動力軸５１により動力傘歯車５３が連動して回転し、歯車噛合により伝動傘歯車５４が連動して回転しかつスプライン軸４４を回転連動させ、スプライン連結によりスプライン孔軸４２が回転して主動傘歯車４３を回転連動させ、歯車噛合により従動傘歯車４１が連動して回転し、伝動軸３９により主動スプロケット３７が連動して回転し、伝動チェーン３８により従動スプロケット３６が連動して回転し、翻転軸３４により回転柱３３が連動して回転しかつ切断刀２１を時計回りに水平状態まで翻転連動させ、このとき切断刀２１が下方へ粘着テープを引いて刺し破り更に切断し、このときハンドル５６により本体１１を引き上げてシールを終え、手で宅配包装箱における粘着テープの切断部をならす。
【００２８】
上記方式により、本分野の当業者は本願発明の範囲内に作動パターンにより各種な変化を実行できる。
【要約】
【課題】本発明は異なるサイズの宅配包装箱用の粘着テープシーラーを開示した。
【解決手段】本体を含み、前記本体の内部の左側には下方と左方に開口した左伸縮空間が設置され、前記左伸縮空間には左伸縮板が左右スライド可能に設置され、前記本体の内部の右側には下方と右方に開口した右伸縮空間が設置され、前記右伸縮空間の中には右伸縮板が左右スライド可能に設置され、前記左伸縮板と前記右伸縮板の内部と下側にはプレスロール装置が設置され、前記プレスロール装置の中には前記左伸縮板と前記右伸縮板の中に設置されかつ下方に開口した傾斜スライド空間が設置され、前記傾斜スライド空間の中には斜面スライダが左右スライド可能に設置され、前記斜面スライダの上端面が前記傾斜スライド空間の上壁の斜面と当接しており、前記斜面スライダは斜面に沿って互いに離れるようにスライドできる。
【選択図】図１【図１】
0006802435.tif 000002
【図２】
0006802435.tif 000003
【図３】
0006802435.tif 000004
【図４】
0006802435.tif 000005